(57)【要約】【課題】スイッチパネルに、操作検出の安定性と意匠性を付与する。【解決手段】透視可能なスイッチパネル１０は、外部導体５の接触を検出するための検出領域Ａ１と、検出領域Ａ１に隣接する非検出領域Ａ２と、を含み、検出領域Ａ１には、一対の検出電極（４１，４２），（７１，７２）が配置され、一対の検出電極は、複数の開口領域を画成する導電性パターン３０を含み、一対の検出電極間の静電容量の変化により、外部導体５の接触が検出される。【選択図】図１
2016195008.tif 000002
【特許請求の範囲】
【請求項１】
透視可能なスイッチパネルであって、
外部導体の接触を検出するための少なくとも１つの検出領域と、前記検出領域に隣接する非検出領域と、を含み、
各検出領域には、一対の検出電極が配置され、
各検出電極は、複数の開口領域を画成する導電性パターンを含み、
前記一対の検出電極間の静電容量の変化により、前記外部導体の接触が検出される、スイッチパネル。
【請求項２】
前記非検出領域は、前記検出領域の周囲を取り囲むように配置される、請求項１に記載のスイッチパネル。
【請求項３】
前記検出領域が複数設けられ、各検出領域は、前記非検出領域を介してそれぞれ互いから離間している、請求項１または２に記載のスイッチパネル。
【請求項４】
前記一対の検出電極のうちの一方は接地されている、請求項１〜３のいずれかに記載のスイッチパネル。
【請求項５】
前記非検出領域に、複数の開口領域を画成する導電性パターンを含むダミーパターンが配置されている、請求項１〜４のいずれかに記載のスイッチパネル。
【請求項６】
前記ダミーパターンは接地されている、請求項５に記載のスイッチパネル。
【請求項７】
前記非検出領域に、各検出電極に接続された配線が配置されている、請求項１〜６のいずれかに記載のスイッチパネル。
【請求項８】
前記配線は、各検出電極に接続された複数の引出導線を含み、
前記複数の引出導線は、前記非検出領域内においてそれぞれ互いから離間し、
前記複数の引出導線のうちの少なくとも２つは、少なくとも１つの連結導線で連結されている、請求項７に記載のスイッチパネル。
【請求項９】
基材シートを有し、
前記一対の検出電極をなす各検出電極は、それぞれ前記配線に接続された複数の幹要素と、各幹要素から延び出た複数の枝要素と、を有し、
前記一対の検出電極をなす各検出電極は、前記基材シートの片面側に支持されている、請求項７または８に記載のスイッチパネル。
【請求項１０】
前記一対の検出電極をなす各検出電極は、各枝要素から延び出た複数の小枝要素を有する、請求項９に記載のスイッチパネル。
【請求項１１】
基材シートを有し、
前記基材シート上に複数の検出領域が第１方向に配列され、
各検出領域にそれぞれ配置された独立電極と、前記複数の検出領域を通って前記第１方向に延び、各独立電極と離間して配置された共通電極と、を有し、
前記独立電極および前記共通電極は、前記基材シートの片面側に支持され、
各検出領域において、前記独立電極と前記共通電極とが、前記一対の検出電極をなしている、請求項１〜１０のいずれかに記載のスイッチパネル。
【発明の詳細な説明】
【技術分野】
【０００１】
本発明は、検出電極を有するスイッチパネルに関する。
【背景技術】
【０００２】
従来、ガスコンロ、ＩＨコンロ、電子レンジ、炊飯器等の各種電気機器においては、機器を操作するための何らかの操作スイッチが設けられていることが一般的である。例えば特許文献１には、ＩＨコンロの操作部に、メンブレンシートを用いた接点ボタンや、透明導電フィルムなどの電極で構成したタッチスイッチからなる操作スイッチが設けられたものが示されている。
【先行技術文献】
【特許文献】
【０００３】
【特許文献１】特開２０１２−９１６１号公報
【発明の概要】
【発明が解決しようとする課題】
【０００４】
これらの電気機器に用いられる操作スイッチとして、例えばメンブレンシートを用いた接点ボタンのような、可動部を有するスイッチを用いると、可動部の破損や接点間への異物の挟み込み等によって、スイッチに不具合が生じ得る。また、メンブレンシートを用いた接点ボタンでは、その表面に文字やマーク等を印刷してスイッチを認識しやすくすることができる一方、スイッチ自体は不透明であり、デザインの自由度は低かった。
【０００５】
タッチスイッチの電極に用いられる透明導電フィルムとしては、通常ＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）などの透明導電膜が用いられる。しかし、ＩＴＯやＩＺＯの薄膜からなる透明導電膜は、インジウムというレアメタル（希少金属）が使用されるために高価である点、および、電極の低抵抗化を図るため導電膜を厚膜化すると、導電膜の透明性が低下する点で、低コスト化とデザインの自由度向上への要求に対応し難い。
【０００６】
本発明は、以上の点を考慮してなされたものであり、電気機器に用いられるスイッチパネルに、操作検出の安定性と意匠性を付与することを目的とする。
【課題を解決するための手段】
【０００７】
本発明によるスイッチパネルは、
透視可能なスイッチパネルであって、
外部導体の接触を検出するための検出領域と、前記検出領域に隣接する非検出領域と、を含み、
前記検出領域には、一対の検出電極が配置され、
前記一対の検出電極は、複数の開口領域を画成する導電性パターンを含み、
前記一対の検出電極間の静電容量の変化により、前記外部導体の接触が検出される。
【０００８】
本発明によるスイッチパネルにおいて、前記非検出領域は、前記検出領域の周囲を取り囲むように配置されてもよい。
【０００９】
本発明によるスイッチパネルにおいて、前記検出領域は、複数設けられていてもよい。
【００１０】
本発明によるスイッチパネルにおいて、各検出領域は、前記非検出領域を介してそれぞれ互いから離間していてもよい。
【００１１】
本発明によるスイッチパネルにおいて、前記一対の検出電極のうちの一方は接地されていてもよい。
【００１２】
本発明によるスイッチパネルにおいて、前記非検出領域に、複数の開口領域を画成する導電性パターンを含むダミーパターンが配置されていてもよい。
【００１３】
本発明によるスイッチパネルにおいて、前記ダミーパターンは接地されていてもよい。
【００１４】
本発明によるスイッチパネルにおいて、前記非検出領域に、各検出電極に接続された配線が配置されていてもよい。
【００１５】
本発明によるスイッチパネルにおいて、前記配線は、各検出電極に接続された複数の引出導線を含み、
前記複数の引出導線は、前記非検出領域内においてそれぞれ互いから離間し、前記配線は、前記複数の引出導線のうちの少なくとも２つを連結する少なくとも１つの連結導線を含んでもよい。
【００１６】
本発明によるスイッチパネルにおいて、基材シートを有し、前記一対の検出電極をなす各検出電極は、それぞれ前記配線から延び出た複数の幹要素と、各幹要素から延び出た複数の枝要素と、を有し、前記一対の検出電極をなす各検出電極は、前記基材シートの片面側に支持されていてもよい。
【００１７】
本発明によるスイッチパネルにおいて、前記一対の検出電極をなす各検出電極は、各枝要素から延び出た複数の小枝要素を有してもよい。
【００１８】
本発明によるスイッチパネルにおいて、基材シートを有し、前記基材シート上に複数の検出領域が第１方向に配列され、各検出領域にそれぞれ配置された独立電極と、前記複数の検出領域を通って前記第１方向に延び、各第１検出電極と離間して配置された共通電極と、を有し、前記独立電極および前記共通電極は、前記基材シートの片面側に支持され、各検出領域において、前記独立電極と前記共通電極とが、前記一対の検出電極をなしていてもよい。
【発明の効果】
【００１９】
本発明によれば、電気機器に用いられるスイッチパネルに、操作検出の安定性と意匠性を付与することができる。
【図面の簡単な説明】
【００２０】
【図１】図１は、本発明による一実施の形態を説明するための図であって、スイッチパネルを概略的に示す斜視図である。
【図２】図２は、図１のスイッチパネルのＡ−Ａ線に沿った断面を示す断面図である。
【図３】図３は、スイッチパネルのスイッチパネルセンサの一例を示す平面図である。
【図４】図４は、図３のスイッチパネルセンサの一部を拡大して示す図である。
【図５】図５は、図４のスイッチパネルセンサの第１電極のみを示す図である。
【図６】図６は、図４のスイッチパネルセンサの第２電極のみを示す図である。
【図７】図７は、図４のスイッチパネルセンサのダミーパターンのみを示す図である。
【図８】図８は、図４のスイッチパネルセンサの断面図である。
【図９】図９は、スイッチパネルセンサの製造方法の一例を説明する図である。
【図１０】図１０は、スイッチパネルセンサの製造方法の一例を説明する図である。
【図１１】図１１は、スイッチパネルセンサの製造方法の一例を説明する図である。
【図１２】図１２は、スイッチパネルのスイッチパネルセンサの変形例を示す平面図である。
【図１３】図１３は、図１２のスイッチパネルセンサの一部を拡大して示す図である。
【図１４】図１４は、図１３のスイッチパネルセンサの独立電極のみを示す図である。
【図１５】図１５は、図１３のスイッチパネルセンサの共通電極のみを示す図である。
【図１６】図１６は、図１３のスイッチパネルセンサのダミーパターンのみを示す図である。
【発明を実施するための形態】
【００２１】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００２２】
本明細書において、「板」、「シート」、「フィルム」の用語は、呼称の違いのみに基づいて、互いから区別されるものではない。例えば、「シート」は板やフィルムと呼ばれ得るような部材をも含む概念であり、したがって、「導電性パターンシート」は、「導電性パターン板（基板）」や「導電性パターンフィルム」と呼ばれる部材と、呼称の違いのみにおいて区別され得ない。
【００２３】
また、「シート面（板面、フィルム面）」とは、対象となるシート状（板状、フィルム状）の部材を全体的かつ大局的に見た場合において対象となるシート状部材（板状部材、フィルム状部材）の平面方向と一致する面のことを指す。
【００２４】
さらに、本明細書において用いる、形状や幾何学的条件ならびにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２５】
図１〜図１２は本発明による一実施の形態を説明するための図である。このうち図１はスイッチパネルを概略的に示す図であり、図２は、図１のスイッチパネルのＡ−Ａ線に沿った断面を示す断面図である。
【００２６】
図１に示されたスイッチパネル１０は、外部導体５の接触を検出するための複数の検出領域Ａ１が配置されている。また、図示された例では、各検出領域Ａ１の周囲を取り囲むようにして、非検出領域Ａ２が配置されている。とりわけ、各検出領域Ａ１は、非検出領域Ａ２を介してそれぞれ互いから離間している。図１および図２に示されたスイッチパネル１０は、静電容量結合方式として構成され、スイッチパネル１０の検出領域Ａ１のいずれかへの外部導体５（例えば、人間の指）の接触を検出可能に構成されている。ここで、静電容量結合方式のスイッチパネル１０の検出感度が優れている場合には、外部導体５がスイッチパネル１０の検出領域Ａ１のいずれかに接近しただけで当該検出領域Ａ１への接近を検出することができる。このような現象にともなって、ここで用いる「接触」とは、外部導体５が実際には接触していない「接近」をも含む概念とする。なお、検出領域Ａ１は必ずしも複数設けられる必要はなく、１つの検出領域Ａ１だけが設けられるようにしてもよい。すなわち、検出領域Ａ１は、少なくとも１つ設けられていればよい。
【００２７】
図２に示された例では、スイッチパネル１０は、スイッチパネルセンサ２０と、スイッチパネルセンサ２０の観察者側に積層されたカバーパネル１５と、を有している。スイッチパネルセンサ２０には、各検出領域Ａ１に対応する検出部４０が複数設けられている。
【００２８】
カバーパネル１５は、誘電体として機能する透光性を有した層であり、例えばガラス板や樹脂フィルムから形成される。カバーパネル１５は、可視光領域における透過率が８０％以上であることが好ましく、８４％以上であることがより好ましい。なお、可視光透過率は、分光光度計（（株）島津製作所製「ＵＶ−３１００ＰＣ」、ＪＩＳＫ０１１５準拠品）を用いて測定波長３８０ｎｍ〜７８０ｎｍの範囲内で測定したときの、各波長における透過率の平均値として特定される。なお、カバーパネル１５は、いわゆる無色透明の層に限られず、透光性を有する着色された層として構成されてもよい。
【００２９】
このカバーパネル１５は、スイッチパネル１０への入力面（タッチ面、接触面）として機能するようになる。つまり、カバーパネル１５に外部導体５（例えば、人間の指）を接触させることにより、スイッチパネル１０に対して外部から情報を入力することができるようになっている。また、カバーパネル１５は、スイッチパネル１０の最も観察者側の面をなしており、スイッチパネル１０において、スイッチパネルセンサ２０を外部から保護するカバーとしても機能する。
【００３０】
カバーパネル１５は、図示しない接合層を介してスイッチパネルセンサ２０と接合されてもよい。接合層は、スイッチパネルセンサ２０と、カバーパネル１５に接触する外部導体５と、の間で誘電体として機能する。このような接合層としては、種々の接着性または粘着性を有した材料からなる層を用いることができる。典型的な接合層としては、アクリル系接着剤またはアクリル系粘着剤からなる層を例示することができる。
【００３１】
なお、図示は省略するが、スイッチパネルセンサ２０には、カバーパネル１５を介して入力された情報を処理する検出制御部が接続されている。検出制御部は、スイッチパネル１０への外部導体５の接触（接近）、とりわけスイッチパネル１０が複数の検出領域Ａ１を有している場合には複数の検出領域Ａ１のいずれかへの外部導体５の接触（接近）、を検出し得るように構成された回路（検出回路）を含んでいる。
【００３２】
次に、スイッチパネルセンサ２０について説明する。図３に、スイッチパネルセンサ２０の一例を平面図で示す。図２および図３に示すように、スイッチパネルセンサ２０は、基材シート２１と、基材シート２１上に設けられた導電性パターン３０と、を含んでいる。
【００３３】
基材シート２１は、導電性パターン３０を支持する基材として機能する。スイッチパネル１０の透視性を確保するため、基材シート２１は、透明または半透明となっている。基材シート２１は、可視光領域における透過率が８０％以上であることが好ましく、８４％以上であることがより好ましい。
【００３４】
基材シート２１は、例えばガラスや樹脂の板、シートまたはフィルムから構成され得る。樹脂フィルムとしては、光学部材の基材として使用されている種々の樹脂フィルムを好適に用いることができる。一例として、トリアセチルセルロースに代表されるセルロースエステル樹脂を基材シート２１として用いることができる。他の例として、安価で安定性に優れたポリエチレンテレフタレート（ＰＥＴ）、ポリエチレンナフタレート（ＰＥＮ）等のポリエステル樹脂を、基材シート２１として用いることができる。ポリエステル樹脂フィルムは、吸湿性が低く、高温多湿の環境化においても変形等が生じ難いといった利点を有している。また、導電性パターン３０の保持性および良好な光透過性の確保の観点から、このような基材シート２１の厚さは、０．０３ｍｍ以上５ｍｍ以下とすることができる。
【００３５】
図３に示された例では、基材シート２１上に、外部導体５の接触（接近）を検出され得る領域に対応する複数の検出領域Ａ１が第１方向（Ｘ）に沿って配列され、各検出領域Ａ１内に、検出部４０がそれぞれ配置されており、各検出部４０は、一対の検出電極（第１電極４１、第２電極４２）を有している。また、各検出領域Ａ１の周囲を取り囲むようにして非検出領域Ａ２が配置され、各検出領域Ａ１は非検出領域Ａ２を介してそれぞれ互いから離間している。非検出領域Ａ２内には、各第１電極４１に接続された第１配線４３（配線）、各第２電極４２に接続された第２配線４４（配線）、ダミーパターン４５、および、端子部４６が設けられている。図示された例では、第１電極４１、第２電極４２、第１配線４３、第２配線４４、および、ダミーパターン４５は、いずれも、基材シート２１の一方の面側（片面側）に設けられている。
【００３６】
検出電極は、外部導体５がスイッチパネルセンサ２０に接近した際に生じる、静電容量の変化を検知するために設けられるものである。したがって、検出電極には、静電容量の変化に起因する電流を検知可能なレベルで流すことができる程度の導電性が求められる。このような検出電極を構成するための材料として、優れた導電性を有する金属材料、例えば、金、銀、銅、白金、アルミニウム、クロム、モリブデン、ニッケル、チタン、パラジウム、インジウム、および、これらの金属の１種以上を含む合金の一以上を用いることができる。一方、これらの金属材料は、可視光に対して遮光性を有している。そこで、一対の検出電極４１，４２は、複数の開口領域を画成する導電性パターン３０を含んでいる。
【００３７】
各第１配線４３は非検出領域Ａ２内に配置され、各第１電極４１から端子部４６にかけて延在している。同様に、各第２配線４４は非検出領域Ａ２内に配置され、各第２電極４２から端子部４６にかけて延在している。端子部４６は、図示しないフレキシブルプリント基板（ＦＰＣ）等を介して、検出制御部に接続される。なお、図が見づらくなることを避けるために、図３では、第１電極４１および第２電極４２を単純な矩形で図示している。また、ダミーパターン４５の図示は省略している。
【００３８】
図４は、図３のスイッチパネルセンサ２０の１つの検出部４０およびその近傍を拡大して示す図である。図５は、図４の検出部４０の第１電極４１のみを示す図である。図６は、図４の検出部４０の第２電極４２のみを示す図である。図７は、図４の検出部４０の近傍におけるダミーパターン４５のみを示す図である。
【００３９】
検出部４０に含まれる第１電極４１および第１配線４３について説明する。図４および図５に示された例では、各第１電極４１は、第１配線４３に接続された第１幹要素４１ａと、第１幹要素４１ａから延び出た複数の第１枝要素４１ｂと、第１枝要素４１ｂから延び出た複数の第１小枝要素４１ｃと、を有している。図示された例では、第１幹要素４１ａは、第１配線４３に接続されて第１方向（Ｘ）と非平行な第２方向（Ｙ）に延びている。とりわけ図示された例では、第１方向（Ｘ）と第２方向（Ｙ）とは直交している。第１枝要素４１ｂは、第１幹要素４１ａから第１方向（Ｘ）に延び出し、第１小枝要素４１ｃは、第１枝要素４１ｂから第２方向（Ｙ）に延び出している。また、第１幹要素４１ａ、第１枝要素４１ｂ、第１小枝要素４１ｃの延び出る方向は、この例に限られず、第１方向（Ｘ）や第２方向（Ｙ）に対して傾斜した方向に延び出していてもよい。なお、本実施の形態では「配線」から延び出た要素を「幹要素」、「幹要素」から延び出た要素を「枝要素」、「枝要素」から延び出た要素を「小枝要素」と呼ぶ。すなわち、「幹要素」、「枝要素」および「小枝要素」の用語は、それぞれの要素の大小を示すものではない。したがって、「枝要素」が「幹要素」より大きくてもよいし、「小枝要素」が「幹要素」や「枝要素」より大きくてもよい。
【００４０】
図４および図５に示された例では、第１幹要素４１ａから第１方向（Ｘ）に沿って第１方向（Ｘ）の一方側に複数の第１枝要素４１ｂが伸びている。とりわけ図示された例では、第１枝要素４１ｂは、それぞれ同一の間隔を有して第２方向（Ｙ）に沿って配列されている。また、各第１電極４１の各第１枝要素４１ｂから第２方向（Ｙ）に沿って第２方向（Ｙ）の一方側および他方側にそれぞれ複数の第１小枝要素４１ｃが伸びている。とりわけ図示された例では、第１小枝要素４１ｃは、それぞれ同一の間隔を有して第１方向（Ｘ）に沿って配列されている。
【００４１】
各第１電極４１に対応して第１配線４３がそれぞれ設けられている。図３〜図５に示された例では、各第１配線４３は、各第１電極４１の第１幹要素４１ａに接続され、非検出領域Ａ２内を第１電極４１から端子部４６まで延びている。とりわけ図示された例では、各第１配線４３は、各第１電極４１から第２方向（Ｙ）に沿って延び、延在方向を曲げられて、第１方向（Ｘ）に沿って延び、端子部４６に接続されている。
【００４２】
次に、検出部４０に含まれる第２電極４２および第２配線４４について説明する。図４および図６に示された例では、各第２電極４２は、第２配線４４に接続された第２幹要素４２ａと、第２幹要素４２ａから延び出た複数の第２枝要素４２ｂと、第２枝要素４２ｂから延び出た複数の第２小枝要素４２ｃと、を有している。図示された例では、第２幹要素４２ａは、第２配線４４に接続されて第２方向（Ｙ）に延び、第２枝要素４２ｂは、第２幹要素４２ａから第１方向（Ｘ）に延び出し、第２小枝要素４２ｃは、第２枝要素４２ｂから第２方向（Ｙ）に延び出している。また、第２幹要素４２ａ、第２枝要素４２ｂ、第２小枝要素４２ｃの延び出る方向は、この例に限られず、第１方向（Ｘ）や第２方向（Ｙ）に対して傾斜した方向に延び出していてもよい。
【００４３】
図４および図６に示された例では、第２幹要素４２ａから第１方向（Ｘ）に沿って第１方向（Ｘ）の他方側に複数の第２枝要素４２ｂが伸びている。とりわけ図示された例では、第２枝要素４２ｂは、それぞれ同一の間隔を有して第２方向（Ｙ）に沿って配列されている。また、各第２電極４２の各第２枝要素４２ｂから第２方向（Ｙ）に沿って第２方向（Ｙ）の一方側および他方側にそれぞれ複数の第２小枝要素４２ｃが伸びている。とりわけ図示された例では、第２小枝要素４２ｃは、それぞれ同一の間隔を有して第１方向（Ｘ）に沿って配列されている。
【００４４】
各第２電極４２に対応して第２配線４４がそれぞれ設けられている。図３、図４および図６に示された例では、各第２配線４４は、各第２電極４２の第２幹要素４２ａに接続され、非検出領域Ａ２内を第２電極４２から端子部４６まで延びている。とりわけ図示された例では、各第２配線４４は、各第２電極４２から第２方向（Ｙ）に沿って延び、延在方向を曲げられて、第１方向（Ｘ）に沿って延び、端子部４６に接続されている。
【００４５】
図４に示された例では、第１電極４１の第１枝要素４１ｂおよび第２電極４２の第２枝要素４２ｂは、第２方向（Ｙ）に交互に配列されている。さらに、１つの第１小枝要素４１ｃと、当該第１小枝要素４１ｃに対して当該第１小枝要素４１ｃの延在方向（図示された例では第２方向（Ｙ））に隣り合う１つの第２小枝要素４２ｃとは、１本の仮想線上に位置するように、配置されている。とりわけ図示された例では、１つの第１小枝要素４１ｃと、当該第１小枝要素４１ｃに対して当該第１小枝要素４１ｃの延在方向（第２方向（Ｙ））に隣り合う１つの第２小枝要素４２ｃとは、第２方向（Ｙ）へ延びる１本の仮想直線上に位置するように、配置されている。
【００４６】
第１電極４１に接続される第１配線４３は複数の引出導線４３ａを含み、第２電極４２に接続される第２配線４４は複数の引出導線４４ａを含む。図４〜図６に示した例では、第１配線４３および第２配線４４はそれぞれ２本の引出導線４３ａ，４４ａを含んでいる。また、複数の引出導線４３ａはそれぞれ互いから離間しており、複数の引出導線４４ａはそれぞれ互いから離間している。すなわち、お互いに交差または接触しないように配置されている。
【００４７】
第１配線４３の複数の引出導線４３ａのうちの少なくとも２つは、少なくとも１つの連結導線４３ｂで連結されている。また、第２配線４４の複数の引出導線４４ａのうちの少なくとも２つは、少なくとも１つの連結導線４４ｂで連結されている。とりわけ図４〜図６に示した例では、第１配線４３の２本の引出導線４３ａは、多数の連結導線４３ｂで連結され、第２配線４４の２本の引出導線４４ａは、多数の連結導線４４ｂで連結されている。また、複数の連結導線４３ｂはそれぞれ互いから離間し、複数の連結導線４４ｂはそれぞれ互いから離間している。すなわち、お互いに交差または接触しないように配置されている。
【００４８】
また、第１幹要素４１ａは複数の幹導線４１ａ１を含み、第２幹要素４２ａは複数の幹導線４２ａ１を含む。図４〜図６に示した例では、第１幹要素４１ａは２本の幹導線４１ａ１を含み、第２幹要素４２ａは２本の幹導線４２ａ１を含んでいる。また、複数の幹導線４１ａ１はそれぞれ互いから離間しており、複数の幹導線４２ａ１はそれぞれ互いから離間している。すなわち、お互いに交差または接触しないように配置されている。
【００４９】
第１幹要素４１ａの複数の幹導線４１ａ１のうちの少なくとも２つは、少なくとも１つの連結導線４１ａ２で連結され、第２幹要素４２ａ複数の幹導線４２ａ１のうちの少なくとも２つは、少なくとも１つの連結導線４２ａ２で連結されている。図４〜図６に示した例では、第１幹要素４１ａの２本の幹導線４１ａ１は、多数の連結導線４１ａ２で連結され、第２幹要素４２ａ２本の幹導線４２ａ１は、多数の連結導線４２ａ２で連結されている。また、複数の連結導線４１ａ２はそれぞれ互いから離間し、複数の連結導線４２ａ２はそれぞれ互いから離間している。すなわち、お互いに交差または接触しないように配置されている。
【００５０】
このような例によれば、配線（４３，４４）および幹要素（４１ａ，４２ａ）が、それぞれ引出導線（４３ａ，４４ａ）または幹導線（４１ａ１，４２ａ１）を複数備えていることにより、複数の引出導線または幹導線の一部に断線等が起こったとしても、他の引出導線または幹導線により導通が確保される。さらに、複数の引出導線または幹導線を連結する連結導線（４３ｂ，４４ｂ，４１ａ２，４２ａ２）を備えていることにより、複数の引出導線または幹導線に断線等が起こっても、連結導線を経由して、引出導線または幹導線の断線等の箇所を迂回するようにして、導通を確保することができる。したがって、引出導線または幹導線の断線等により検出部４０が機能しなくなる事態を回避することができ、これにより検出部４０が配列されたスイッチパネルセンサ２０に、検出感度および検出精度の安定性を付与することができる。
【００５１】
次に、検出電極（第１電極４１および第２電極４２）、第１配線４３、第２配線４４およびダミーパターン４５に含まれる導電性パターン３０を形成するための基準となる基準パターン５０について説明する。
【００５２】
図４に示された例では、基準パターン５０は、格子配列状の規則的なメッシュパターンを有している。すなわち、第１方向（Ｘ）に沿って形成され、第１方向（Ｘ）と交差する第２方向（Ｙ）に沿って複数本配列された第１導電細線５１と、第２方向（Ｙ）に沿って形成され、第１方向（Ｘ）に沿って複数本配列された第２導電細線５２とにより、格子配列状の規則的な基準パターン５０が形成されている。とりわけ、図４に示した例では、複数の第１導電細線５１は、それぞれ互いに平行に、且つ、第２方向（Ｙ）に沿って互いに等間隔で配列されており、複数の第２導電細線５２は、それぞれ互いに平行に、且つ、第１方向（Ｘ）に沿って互いに等間隔で配列されている。また、第１導電細線５１と第２導電細線５２とは、交差、とりわけ直交している。さらに、この格子配列状の規則的な基準パターン５０により、第１方向（Ｘ）、および前記第１方向（Ｘ）に非平行な、とりわけ直交する、第２方向（Ｙ）のそれぞれに配列された複数の開口５４が画成されている。このように基準パターン５０が規則的なパターンとなっている場合、導電性パターン３０を含む、第１電極４１、第２電極４２、第１配線４３、第２配線４４およびダミーパターン４５が、互いに区別して視認されることを効果的に抑制することができる。
【００５３】
図４に示されているように、基準パターン５０内の、第１電極４１、第２電極４２、第１配線４３、第２配線４４およびダミーパターン４５となるべき領域の輪郭に沿って、断線箇所５３が形成されている。そして、この断線箇所５３で囲まれた領域が、第１電極４１、第２電極４２、第１配線４３および第２配線４４となり、他の部分がダミーパターン４５となっている。図示された例では、第１電極４１と第２電極４２とは、断線箇所５３を介して隣接し、ダミーパターン４５と、第１電極４１、第２電極４２、第１配線４３および第２配線４４とは、それぞれ断線箇所５３を介して隣接している。なお、これに限られず、例えば第１電極４１と第２電極４２との間にダミーパターン４５が設けられてもよい。
【００５４】
この例においては、一対の検出電極をなす第１電極４１および第２電極４２を用いて、外部導体５がスイッチパネルセンサ２０に接近した際に生じる静電容量の変化を検知する。すなわち、外部導体５がスイッチパネルセンサ２０に接近すると、接近した箇所に対応する第１電極４１と第２電極４２との間の静電容量が変化する。したがって、この静電容量の変化を検知することにより、外部導体５の検出領域Ａ１への接近を検出することができる。また、スイッチパネルセンサ２０が複数の検出領域Ａ１を有している場合、静電容量が変化した第１電極４１および第２電極４２を特定することで、スイッチパネルセンサ２０における、外部導体５が接近した検出領域Ａ１を特定することができる。
【００５５】
次に、ダミーパターン４５について説明する。図４および図７に示された例では、基材シート２１上の非検出領域Ａ２内にダミーパターン４５が設けられている。図４に示されているように、ダミーパターン４５は、格子配列状の規則的なメッシュパターンを有する基準パターン５０に、第１電極４１、第２電極４２、第１配線４３および第２配線４４となるべき領域の輪郭に沿って断線箇所５３を設けることによって、第１電極４１、第２電極４２、第１配線４３および第２配線４４の周囲に形成される。したがって、図４および図７に示された例では、ダミーパターン４５は、複数の開口領域を画成する導電性パターン３０を含んでいる。
【００５６】
次に、導電性パターン３０の断面形状について説明する。図８に、厚さ方向に沿った断面において、スイッチパネルセンサ２０が示されている。ここで厚さ方向とは、シート状（フィルム状、板状、パネル状）からなるスイッチパネルセンサ２０のシート面（フィルム面、板面、パネル面）への法線方向に沿った断面のことを指す。
【００５７】
図８に示すように、基材シート２１上に、導電性パターン３０が形成されている。導電性パターン３０は、基材シート２１上に設けられた導電性金属層６０と、導電性金属層６０上に設けられた暗色層６１とを含んでいる。言い換えると、暗色層６１は、導電性パターン３０を構成する導電細線５１，５２の長手方向に直交する断面において導電性金属層６０を上側、すなわち基材シート２１とは反対の側から覆っている。
【００５８】
ここで導電性金属層６０は、高導電率を有した金属材料を用いて形成された層であり、金、銀、銅、白金、アルミニウム、クロム、モリブデン、ニッケル、チタン、パラジウム、インジウム、および、これらの金属の１種以上を含む合金の一以上からなる層である。なお、導電性金属層６０は、単層である必要はなく、異なる材料または同一の材料からなる複数の層として構成されていてもよい。
【００５９】
金属材料からなる導電性金属層６０は、優れた導電率を有する反面、比較的高い反射率を呈する。そして、スイッチパネルセンサ２０の導電性パターン３０をなす導電性金属層６０によって外光が反射されると、観察者から導電性パターン３０が視認され得る。そこで、暗色層６１が、導電性金属層６０の観察者側に配置されている。この暗色層６１によって、導電性金属層６０による外光の反射を抑制し、導電性パターン３０の不可視性を向上させることができる。したがって、暗色層６１は、導電性金属層６０よりも低反射率の層であり、黒色等の暗色の層であることが好ましい。なお、暗色層６１は、導電性金属層６０の上面だけでなく、導電性金属層６０の両側面にも形成することができる。この場合、傾斜した方向からの外光の反射も効果的に抑制できる。
【００６０】
暗色層６１としては、種々の既知の層を用いることができる。導電性金属層６０をなす材料の一部分に暗色化処理（黒化処理）を施して、導電性金属層６０をなしていた一部分から、金属酸化物や金属硫化物からなる暗色層６１を形成してもよい。また、暗色材料の塗膜や、ニッケルやクロム等のめっき層等のように、導電性金属層６０上に暗色層６１を設けるようにしてもよい。また、ここで用いる暗色層６１とは、暗色化（黒化）された層のみでなく、粗化された層も含む。
【００６１】
このような構成からなる導電性パターン３０において、導電細線５１，５２の幅（最大幅）Ｗ、すなわち基材シート２１のシート面に沿った幅（最大幅）Ｗを、例えば１μｍ以上１５μｍ以下、好ましくは２μｍ以上１０μｍ以下とし、且つ、高さ（厚さ）Ｈ、すなわち、基材シート２１のシート面への法線方向に沿った高さ（厚さ）Ｈを、好ましくは０．１μｍ以上３μｍ以下とする。このような寸法の導電性パターン３０によれば、その導電細線５１，５２が十分に細線化されているので、導電性パターン３０を含む、第１電極４１、第２電極４２、第１配線４３、第２配線４４およびダミーパターン４５を極めて効果的に不可視化することができる。同時に、断面形状において十分な高さを有するようになり、すなわち、導電細線５１，５２の断面形状のアスペクト比（Ｈ／Ｗ）が十分に大きくなり、高い導電性を有するようになる。
【００６２】
次に、図９〜１１を参照して、スイッチパネルセンサ２０の製造方法の一例について説明する。図９〜１１は、スイッチパネルセンサ２０の製造方法の一例を順に示す断面図である。
【００６３】
まず、基材シート２１を準備する。基材シート２１は、例えばガラスや樹脂の板、シートまたはフィルムである。
【００６４】
この基材シート２１上に導電性金属層６０を形成する。導電性金属層６０は、上述したように、金、銀、銅、白金、アルミニウム、クロム、モリブデン、ニッケル、チタン、パラジウム、インジウム、および、これらの金属の１種以上を含む合金の一以上からなる層である。導電性金属層６０は、公知の方法で形成され得る。例えば、銅箔等の金属箔を接着剤や粘着剤を用いて貼着する方法、真空蒸着法、スパッタリング法、イオンプレーティング法等の物理的気相成長法（ＰＶＤ法）、化学的気相成長法（ＣＶＤ法）、めっき法等の液相成長法、またはこれらの２以上を組み合わせた方法を採用することができる。
【００６５】
次に、導電性金属層６０の基材シート２１と反対側の面上に暗色層６１を形成する。暗色層６１は、例えば導電性金属層６０をなす材料の一部分に暗色化処理（黒化処理）を施して、導電性金属層６０をなしていた一部分から、金属酸化物や金属硫化物からなる暗色層６１を形成することができる。また、暗色材料の塗膜や、ニッケルやクロム等のめっき層等のように、導電性金属層６０上に暗色層６１を設けるようにしてもよい。また、導電性金属層６０の表面を粗化して暗色層６１を設けるようにしてもよい。図９に、基材シート２１上に導電性金属層６０および暗色層６１を積層したものを示す。
【００６６】
次に、図１０に示すように、暗色層６１の導電性金属層６０と反対側の面上にレジストパターン６２を形成する。最終的に、第１電極４１、第２電極４２、第１配線４３、第２配線４４およびダミーパターン４５となる箇所、および端子部４６となる箇所の上にのみ、レジストパターン６２が形成されるようにする。このレジストパターン６２は、公知のフォトリソグラフィー技術を用いたパターニングにより形成することができる。
【００６７】
その後、図１１に示すように、レジストパターン６２をマスクとして、導電性金属層６０をエッチングする。このエッチングにより、導電性金属層６０がレジストパターン６２と略同一のパターンにパターニングされる。エッチング方法は特に限られることはなく、公知の方法が採用できる。公知の方法としては、例えば、エッチング液を用いるウェットエッチングや、プラズマエッチングなどが挙げられる。
【００６８】
最後に、レジストパターン６２を除去する。これにより、図８に示されたスイッチパネルセンサ２０が得られる。
【００６９】
本実施の形態では、スイッチパネルセンサ２０の、第１電極４１、第２電極４２、第１配線４３、第２配線４４およびダミーパターン４５をなす導電性パターン３０として、透明導電膜の材料として従来用いられていたＩＴＯやＩＺＯと比較して強度の高い金属を含む導電性パターンを用いているので、導電性パターン３０の割れや断線の発生を抑制し、スイッチパネルセンサ２０を有するスイッチパネル１０に、操作検出の安定性を付与することができる。
【００７０】
また、スイッチパネルセンサ２０を有するスイッチパネル１０が良好な透視性を有するので、スイッチパネル１０に意匠性（デザイン性）を付与することができる。
【００７１】
なお、上述した実施の形態に対して様々な変更を加えることが可能である。以下、図面を適宜参照しながら、変形例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００７２】
図１２に、スイッチパネル１０のスイッチパネルセンサ２０の変形例を示す。
【００７３】
図１２に示された例では、基材シート２１上に、複数の検出領域Ａ１が第１方向（Ｘ）に沿って配列され、各検出領域Ａ１内には、独立電極７１がそれぞれ配置されている。また、基材シート２１の各独立電極７１が設けられた面には、各独立電極７１から離間して、複数の検出領域Ａ１を通って延びる共通電極７２が設けられている。図示された例では、複数の独立電極７１に対して、対応する共通電極７２が１本設けられている。共通電極７２は、対応する独立電極７１の配列方向（図示された例では第１方向（Ｘ））に沿うように、第１方向（Ｘ）に延びている。非検出領域Ａ２内には、各独立電極７１に接続された第３配線７３（配線）、共通電極７２に接続された第４配線７４（配線）、ダミーパターン４５、および、端子部４６が設けられている。図示された例では、独立電極７１、共通電極７２、第３配線７３、第４配線７４、および、ダミーパターン４５は、いずれも、基材シート２１の一方の面側（片面側）に設けられている。
【００７４】
各第３配線７３は非検出領域Ａ２内に配置され、各独立電極７１から端子部４６にかけて延在している。同様に、第４配線７４は非検出領域Ａ２内に配置され、共通電極７２から端子部４６にかけて延在している。端子部４６は、図示しないフレキシブルプリント基板（ＦＰＣ）等を介して、検出制御部に接続される。なお、図が見づらくなることを避けるために、図１２では、各独立電極７１を単純な矩形で図示し、共通電極７２を単純な直線で図示している。また、ダミーパターン４５の図示は省略している。
【００７５】
この例では、各検出領域Ａ１において、独立電極７１と共通電極７２とが、一対の検出電極をなし、この一対の検出電極が検出部４０をなしている。すなわち、各検出領域Ａ１の各検出部４０において、一対の検出電極をなす独立電極７１および共通電極７２を用いて、外部導体５がスイッチパネルセンサ２０に接近した際に生じる静電容量の変化を検知する。外部導体５がスイッチパネルセンサ２０に接近すると、接近した箇所に対応する独立電極７１と共通電極７２との間の静電容量が変化する。したがって、共通電極７２との間の静電容量が変化した独立電極７１を特定することで、スイッチパネルセンサ２０における、外部導体５が接近した検出領域Ａ１を特定することができる。
【００７６】
図１３は、図１２のスイッチパネルセンサ２０の１つの検出部４０およびその近傍を拡大して示す図である。とりわけ、図１３は、図１２に示された３つの検出部のうち最も右側（端子部４６側）の検出部４０およびその近傍を拡大して示す図である。図１４は、図１３の検出部４０の独立電極７１のみを示す図である。図１５は、図１３の共通電極７２のみを示す図である。図１６は、図１３の検出部４０の近傍におけるダミーパターン４５のみを示す図である。
【００７７】
図１３および図１４に示された例では、独立電極７１は、複数の開口領域を画成する導電性パターン３０を含んでいる。とりわけ、独立電極７１は、複数の導電細線が格子配列状の規則的なメッシュパターンをなし、多数の矩形状の開口領域を画成する導電性パターン３０を含み、全体として矩形状をなしている。
【００７８】
各独立電極７１に対応して第３配線７３がそれぞれ設けられている。図１３および図１４に示された例では、各第３配線７３は、各独立電極７１に接続され、非検出領域Ａ２内を独立電極７１から端子部４６まで延びている。とりわけ図示された例では、各第３配線７３は、各独立電極７１から第２方向（Ｙ）に沿って延び、延在方向を曲げられて、第１方向（Ｘ）に沿って延び、端子部４６に接続されている。
【００７９】
図１３および図１５に示された例では、共通電極７２は、複数の共通電極導線７２ａを含む。とりわけ図示された例では、共通電極７２は、２本の共通電極導線７２ａを含んでいる。また、複数の共通電極導線７２ａは、それぞれ互いから離間している。すなわち、お互いに交差または接触しないように配置されている。とりわけ図示された例では、共通電極７２をなす２本の共通電極導線７２ａが平行に配置され、第１方向（Ｘ）に延びている。
【００８０】
共通電極７２の複数の共通電極導線７２ａのうちの少なくとも２つは、少なくとも１つの連結導線７２ｂで連結されている。とりわけ図１３および図１５に示した例では、各共通電極７２の２本の共通電極導線７２ａは、多数の連結導線７２ｂで連結されている。また、複数の連結導線７２ｂは、それぞれ互いから離間している。すなわち、お互いに交差または接触しないように配置されている。図示された例では、複数の連結導線７２ｂが、それぞれ平行に配置されている。
【００８１】
独立電極７１に接続される第３配線７３は複数の引出導線７３ａを含み、共通電極７２に接続される第４配線７４は複数の引出導線７４ａを含む。図１３および図１５に示した例では、第３配線７３および第４配線７４はそれぞれ２本の引出導線７３ａ，７４ａを含んでいる。また、複数の引出導線７３ａはそれぞれ互いから離間しており、複数の引出導線７４ａはそれぞれ互いから離間している。すなわち、お互いに交差または接触しないように配置されている。
【００８２】
第３配線７３の複数の引出導線７３ａのうちの少なくとも２つは、少なくとも１つの連結導線７３ｂで連結されている。また、第４配線７４の複数の引出導線７４ａのうちの少なくとも２つは、少なくとも１つの連結導線７４ｂで連結されている。とりわけ図１３および図１５に示した例では、第３配線７３の２本の引出導線７３ａは、多数の連結導線７３ｂで連結され、第４配線７４の２本の引出導線７４ａは、多数の連結導線７４ｂで連結されている。また、複数の連結導線７３ｂはそれぞれ互いから離間し、複数の連結導線７４ｂはそれぞれ互いから離間している。すなわち、お互いに交差または接触しないように配置されている。
【００８３】
なお、図１３および図１５に示した例では、共通電極７２の共通電極導線７２ａと、第４配線７４の引出導線７４ａとは、繋ぎ目なく一体的に形成されている。すなわち、共通電極７２の共通電極導線７２ａを延長した部分が第４配線７４の引出導線７４ａとなっている。言い換えると、第４配線７４の引出導線７４ａを延長した部分が共通電極７２の共通電極導線７２ａとなっている。
【００８４】
このような独立電極７１、共通電極７２、第３配線７３、第４配線７４およびダミーパターン４５は、格子配列状の規則的なメッシュパターンを有する基準パターン５０に、独立電極７１、共通電極７２、第３配線７３、第４配線７４およびダミーパターン４５となるべき領域の輪郭に沿って、断線箇所５３を設けることにより画成される。すなわち、断線箇所５３で囲まれた領域が、独立電極７１、共通電極７２、第３配線７３および第４配線７４となり、他の部分がダミーパターン４５となる。図示された例では、独立電極７１と共通電極７２とは、断線箇所５３を介して隣接し、ダミーパターン４５と、独立電極７１、共通電極７２、第３配線７３および第４配線７４とは、それぞれ断線箇所５３を介して隣接している。なお、これに限られず、例えば独立電極７１と共通電極７２との間にダミーパターン４５が設けられてもよい。
【００８５】
このようなスイッチパネルセンサ２０の変形例によっても、スイッチパネルセンサ２０の、独立電極７１、共通電極７２、第３配線７３、第４配線７４およびダミーパターン４５をなす導電性パターン３０として、透明導電膜の材料として従来用いられていたＩＴＯやＩＺＯと比較して強度の高い金属を含む導電性パターンを用いているので、導電性パターン３０の割れや断線の発生を抑制し、スイッチパネルセンサ２０を有するスイッチパネル１０に、操作検出の安定性を付与することができる。
【００８６】
また、スイッチパネルセンサ２０を有するスイッチパネル１０が良好な透視性を有するので、スイッチパネル１０に意匠性（デザイン性）を付与することができる。
【００８７】
他の変形例として、上述した実施の形態では、基準パターン５０に、各電極、配線およびダミーパターンの輪郭に対応して、直線状に配列された断線箇所５３を設けることにより、各電極、配線およびダミーパターンをなす導電性パターン３０が形成されたが、これに限られず、隣接する３以上の断線箇所５３の少なくとも１つが、他の２以上の断線箇所５３を結ぶ仮想直線からずれた位置に配置されるようにしてもよい。すなわち、隣接する３以上の断線箇所５３が一直線上に並ばないようにしてもよい。
【００８８】
上述した実施の形態のスイッチパネルセンサ２０の製造方法の一例における、図１１に示した導電性金属層６０のパターニング工程において、エッチング液を用いるウェットエッチングにより導電性金属層６０のパターニングを行う場合、断線箇所５３が３以上直線状に並んだ導電性パターン３０を作製しようとすると、この直線状に並ぶ複数の断線箇所５３を通るエッチング液の流れが他の部分を通るエッチング液の流れに比べて速くなり、すなわち直線状に並んだ複数の断線箇所５３を有する領域では、その他の領域に比べてエッチングが大きく進行し、断線箇所５３周辺の導電細線５１，５２が細くなる。これにより、直線状に並んだ複数の断線箇所５３を有する領域とそれ以外の領域との間で濃淡むらを生じ得る。
【００８９】
一方、隣接する３以上の断線箇所５３が一直線上に並ばないように配置することにより、隣接する３以上の断線箇所５３を通るエッチング液の流れの速さを抑え、隣接する複数の断線箇所５３を有する領域におけるエッチングの進行を適切に制御して、断線箇所５３周辺の導電細線５１，５２が細くなることを防止することができる。したがって、隣接する複数の断線箇所を有する領域とそれ以外の領域との間で生じ得る濃淡むらを効果的に抑制することができる。
【００９０】
さらに他の変形例として、ダミーパターン４５の内部に、複数の断線箇所５３を設けるようにしてもよい。これにより、ダミーパターン４５の内部に断線箇所５３が設けられていない場合と比較して、ダミーパターン４５が全体として黒く（暗く）見えてしまうことを防止できる。したがって、互いに隣接する、一対の検出電極の間に多数の断線箇所５３が形成された領域と、ダミーパターン４５が配置された領域と、の間で生じ得る濃淡むらを効果的に抑制することができる。
【００９１】
さらに他の変形例として、ダミーパターン４５は接地（アース）されていてもよい。比較的配置面積の広いダミーパターン４５を接地することにより、ダミーパターン４５を含むスイッチパネル１０に、電磁波遮蔽機能を付与することができる。また、一対の検出電極の一方が、接地されていてもよい。この場合にも、スイッチパネル１０に、電磁波遮蔽機能を付与することができる。
【００９２】
さらに他の変形例として、上述した実施の形態では、検出領域Ａ１が第１方向（Ｘ）にのみ配列されていたが、これに限られず、検出領域Ａ１が第１方向（Ｘ）と交差する方向、例えば第２方向（Ｙ）、にも配列されていてもよい。すなわち二次元状に配列されていてもよい。また、検出領域Ａ１が直線状に配列されるものに限られず、円弧状等の曲線状に配列されていてもよい。
【００９３】
さらに他の変形例として、上述した実施の形態では、基準パターン５０が、格子配列状の規則的なメッシュパターンを有しているものとしたが、これに限られず、格子配列以外の規則的なメッシュパターンを有していてもよいし、不規則的なメッシュパターンを有していてもよい。例えば、ハニカム状等の規則的なメッシュパターンや、ボロノイメッシュのような不規則的なメッシュパターンでもよい。
【００９４】
さらに他の変形例として、上述した実施の形態の枝要素（４１ｂ，４２ｂ）や小枝要素（４１ｃ，４２ｃ）が、それぞれ複数の導線を備えるようにしてもよいし、この場合、さらに複数の導線を備える枝要素（４１ｂ，４２ｂ）や小枝要素（４１ｃ，４２ｃ）の当該複数の導線を連結する１以上の連結導線を備えるようにしてもよい。
【００９５】
なお、以上において上述した実施の形態に対するいくつかの変形例を説明してきたが、当然に、複数の変形例を適宜組み合わせて適用することも可能である。
【符号の説明】
【００９６】
１０    スイッチパネル
１５    カバーパネル
２０    スイッチパネルセンサ
２１    基材シート
３０    導電性パターン
４０    検出部
４１    第１電極
４１ａ  第１幹要素
４１ｂ  第１枝要素
４１ｃ  第１小枝要素
４２    第２電極
４２ａ  第２幹要素
４２ｂ  第２枝要素
４２ｃ  第２小枝要素
４３    第１配線
４３ａ  引出導線
４３ｂ  連結導線
４４    第２配線
４４ａ  引出導線
４４ｂ  連結導線
４５    ダミーパターン
４６    端子部
７１    独立電極
７２    共通電極
７２ａ  共通電極導線
７２ｂ  連結導線
７３    第３配線
７３ａ  引出導線
７３ｂ  連結導線
７４    第４配線
７４ａ  引出導線
７４ｂ  連結導線
Ａ１    検出領域
Ａ２    非検出領域
【図１】
2016195008.tif 000003
【図２】
2016195008.tif 000004
【図３】
2016195008.tif 000005
【図４】
2016195008.tif 000006
【図５】
2016195008.tif 000007
【図６】
2016195008.tif 000008
【図７】
2016195008.tif 000009
【図８】
2016195008.tif 000010
【図９】
2016195008.tif 000011
【図１０】
2016195008.tif 000012
【図１１】
2016195008.tif 000013
【図１２】
2016195008.tif 000014
【図１３】
2016195008.tif 000015
【図１４】
2016195008.tif 000016
【図１５】
2016195008.tif 000017
【図１６】
2016195008.tif 000018